(57)【要約】      （修正有）【課題】電解部によって水を電気分解して次亜塩素酸を生成するシステムにおいて、塩化物イオン濃度が低い原水が電解部へ供給される状況の場合、結晶ＮａＣｌを収容した塩徐放用カートリッジから塩化物イオンを拡散して、原水の塩化物イオン濃度を上昇させる塩徐放用カートリッジの提供、及びこの塩徐放用カートリッジを備えた電解水生成装置または電解水噴霧器を提供する。【解決手段】内部にＮａＣｌ等のＣｌ−が化合した無機塩の結晶１０３の収容部１００Ａを形成し上部に開口１０１を備え、空気中では開口１０１を開いた状態に下降し水中では開口１０１を閉じる状態に上昇する浮動開閉弁部材１０２を備え、開口１０１が浮動開閉弁部材１０２によって閉じた状態で、浮動開閉弁部材１０２の周囲には開口１０１からＮａＣｌ結晶１０３の溶けた水溶液の塩化物イオン（Ｃｌ−）等のイオンが拡散する隙間通路が形成されることを特徴とする塩徐放用カートリッジ。【選択図】図１
2012052168.tif 000002
【特許請求の範囲】
【請求項１】
内部にＮａＣｌ等のＣｌ−が化合した無機塩の結晶の収容部を形成し上部に開口を備え、空気中では前記開口を開いた状態に下降し水中では前記開口を閉じる状態に上昇する浮動開閉弁部材を備え、前記開口が前記浮動開閉弁部材によって閉じた状態で、前記浮動開閉弁部材の周囲には前記開口から前記ＮａＣｌ結晶の溶けた水溶液の塩化物イオン（Ｃｌ−）等のイオンが拡散する隙間通路が形成されることを特徴とする塩徐放用カートリッジ。
【請求項２】
電解槽内の水を電気分解して次亜塩素酸を生成する電解部と、前記電解槽へ供給される水の塩化物イオン（Ｃｌ−）濃度を高めるための塩徐放用カートリッジを備え、前記塩徐放用カートリッジは、内部に塩の結晶の収容部を形成し上部に電解槽内の水が流入する開口を備え、空気中では前記開口を開いた状態に下降し、水中では前記開口を閉じる状態に上昇する浮動開閉弁部材を備え、前記開口が前記浮動開閉弁部材によって閉じた状態で、前記浮動開閉弁部材の周囲には前記開口から前記塩の結晶が溶けた水溶液の塩化物イオン（Ｃｌ−）が拡散する隙間通路が形成される構成であり、前記電解槽に前記塩徐放用カートリッジが組み付けられた状態で、前記電解槽に供給される水が前記開口から前記塩の結晶へ流入しつつ、前記浮動開閉弁部材が前記開口を閉じる状態に上昇することを特徴とする電解水生成装置。
【請求項３】
内部に電解部が収容され上面に前記電解部へ供給する水補給開口を備えた水タンク部を備え、前記水補給開口を開閉するように前記水タンク部の上部に噴霧機構部が水密状態に着脱自在結合され、前記電解部で生成される電解水が前記噴霧機構部から噴霧可能な電解水噴霧器において、前記電解部には、前記電解部へ供給される水に塩化物イオン（Ｃｌ−）を徐放する塩徐放用カートリッジを設け、前記塩徐放用カートリッジは、内部に塩の結晶の収容部を形成し上部に前記電解部内の水が前記塩の結晶へ流入する開口を備え、空気中では前記開口を開いた状態に下降し、水中では前記開口を閉じる状態に上昇する浮動開閉弁部材を備え、前記開口が前記浮動開閉弁部材によって閉じた状態で、前記浮動開閉弁部材の周囲には前記開口から前記塩の結晶が溶けた水溶液の塩化物イオン（Ｃｌ−）が拡散する隙間通路が形成される構成であり、前記電解部に前記塩徐放用カートリッジが組み付けられた状態で、前記電解部に供給される水が前記開口から前記塩の結晶へ流入しつつ、前記浮動開閉弁部材が前記開口を閉じる状態に上昇することを特徴とする電解水噴霧器。
【請求項４】
前記隙間通路が前記浮動開閉弁部材の表面の粗さによって形成されたことを特徴とする請求項１乃至請求項３に記載の塩徐放用カートリッジ、電解水生成装置または電解水噴霧器。
【請求項５】
前記塩徐放用カートリッジは、前記開口が前記水タンク部の下部開口に臨むように前記水タンク部に着脱自在に取り付けたことを特徴とする請求項３に記載の電解水噴霧器。
【発明の詳細な説明】
【技術分野】
【０００１】
本発明は、電解部によって水を電気分解して次亜塩素酸を生成する技術において、この水の中の塩化物イオン（Ｃｌ−）濃度が低い状況の場合、その水の塩化物イオン濃度を上昇させる簡素化された技術に関し、特に、水の塩化物イオン濃度を上昇させる塩徐放用カートリッジを備えた電解水生成装置及び除菌装置に関する。
【背景技術】
【０００２】
水を電気分解して次亜塩素酸を含む電解水を生成し、この電解水を除菌や脱臭を行なう部位に連続的または断続的に供給するが回収しない方式、所謂非循環系供給方式とする技術は従来から存在する。この技術として、水道水が供給される電解槽で生成した次亜塩素酸を含む電解水を加湿エレメントへ供給して、この加湿エレメントの除菌、脱臭を行なうものとして、特許文献１がある。
また、次亜塩素酸を含む電解水を霧状にして室内や出入り口の散布し、殺菌・脱臭を行なう装置として、特許文献２、３及び４がある。
また、次亜塩素酸を含む電解水を野菜に噴霧して殺菌する方法として、特許文献５がある。
【０００３】
次亜塩素酸を含む電解水によって所定の除菌、脱臭の効果を得るためには、次亜塩素酸を生成するために電解部へ供給される水道水やその他の水（以下、原水という）の中の塩化物イオン濃度が所定の値以上でなければ、その目的が達成されない。このため電解水の次亜塩素酸濃度を測定し、その濃度が所定値よりも低い場合は、ポンプの運転によって、薬液タンク内の次亜塩素酸ソーダ等の次亜塩素酸塩を補充する技術として、特許文献６がある。
【０００４】
病院や人が出入りする公共施設、または家庭の棚等に設置して手指等を除菌または殺菌する器具があり、その一つとして、被電解水を電気分解して生成した電解水をスプレー部から噴霧する電解水噴霧器の技術が存在する。その電解水噴霧器の一つに、被電解水として容器に収容した塩素化合物の溶液を電気分解し、次亜塩素酸またはその塩の溶液である電解水を生成して、これをスプレー部から噴霧する次亜塩素酸生成噴霧器がある（特許文献７参照）。
【０００５】
これは多量の塩素化合物の溶液を容器に収容し、この容器の上端にトリガスプレーヤーを着脱自在に取り付け、この取り付けによってトリガスプレーヤーから延びたディップチューブが容器内の塩素化合物の溶液に浸り、指でピストルの引き金を引くようにトリガを操作することにより、１回のトリガ操作によって、０．１ｍｌ〜１ｍｌの塩素化合物の溶液が容器内から汲み上げられてノズルから噴霧されるものである。
【０００６】
また、電解水噴霧器の他の形態として、略円筒状の容器本体２Ａの上面と下面に２段円筒状のキャップ２Ｂと円板状のキャップ２Ｃが取り付けられて容器２を構成し、この容器２の上部に、噴霧機構である手動スプレーポンプ３が取り付けられたものがある。これは、容器本体２Ａの上面に形成した隔壁６の上側に、キャップ２Ｂ内に電解溶液を貯留するタンク４が形成され、この隔壁６の下側で容器２内に電解槽５が形成され、手動スプレーポンプ３から下方へ延びたノズル３ａが容器２の中心に配置され、手動スプレーポンプ３を押し圧操作するごとに、電解槽５の電解水が所定量、ノズル３ａに吸引されて噴霧口３ｂから噴霧される構成の電解水生成噴霧器である（特許文献８参照）。
【０００７】
特許文献８のものは、容器２の容器本体２Ａ内は、上部に電解槽５が形成され、電解槽５の下方に２本のバッテリとバッテリの電流を制御する基板が背中合わせに配置され、バッテリと基板の下方を下部のキャップ２Ｃが覆う構成である。
【０００８】
即ち、特許文献８のものは、被電解水を入れるタンク４と電解槽５が上下関係の配置となるように、タンク４がキャップ２Ｂ内に形成され、電解槽５が容器本体２Ａに形成された状態で、容器本体２Ａの上端にキャップ２Ｂがネジ結合される構成である。そして、手動スプレーポンプ３から下方へ延びたノズル３ａが容器２の中心に配置されるために、電解槽５が容器本体２Ａの上部の一方に偏った位置に配置されている。
【先行技術文献】
【特許文献】
【０００９】
【特許文献１】特開２００２−１８１３５８号公報
【特許文献２】特開２０００−１９７６８９号公報
【特許文献３】特開２００９−２６１５９６号公報
【特許文献４】特開２０１０−１４２５６０号公報
【特許文献５】特開２００９−０７２０６５号公報
【特許文献６】特開２００６−０２６２１４号公報
【特許文献７】特開２００４−１３０２６３号公報
【特許文献８】特開２００９−１５４０３０号公報
【発明の概要】
【発明が解決しようとする課題】
【００１０】
水の電気分解によって生成される次亜塩素酸を含む電解水によって、所定の除菌、脱臭の効果を得るためには、次亜塩素酸を生成するために電解部へ供給される水道水やその他の水（以下、原水という）の中の塩化物イオン濃度が所定の値以上でなければ、所期の濃度の次亜塩素酸を生成できず、除菌、脱臭の所期の目的が達成されない。ところが、水道水等の水質は地域によって異なり、その中に含まれる塩化物イオン濃度にも差異がある。このため、塩化物イオン濃度が低い原水を使用する場合は、その供給された原水の塩化物イオン濃度を高めた状態で電気分解をする必要がある。
【００１１】
本発明は、電解部によって水を電気分解して次亜塩素酸を生成するシステムにおいて、この水の中の塩化物イオン濃度が低い原水が電解部へ供給される状況の場合、その原水の塩化物イオン濃度を上昇させる簡素化された技術を提供するものである。
【００１２】
本発明では、特許文献６のように、次亜塩素酸濃度の測定を行なって、その濃度が低い場合に特別な薬剤をポンプによって補充する、という複雑且つ高価なものではなく、薬剤ポンプの不要な構成によって、食塩を上記原水に拡散させて、電解部の水の塩化物イオン濃度が所期の値となる簡単な手段を提供するものである。
【００１３】
このため、本発明では、上記原水に拡散させる塩化物イオン源として、簡単に手に入る食塩を使用することができる構成とする。そして、電解部の水に塩化物イオンを補充する手段として、塩の結晶が収容された塩徐放用カートリッジを用意し、この塩徐放用カートリッジを電解部に取り付け、この電解部に注入される水の一部がこの塩徐放用カートリッジ内に流入することによって、塩の結晶が溶けた水溶液の塩化物イオンが電解部に流出し、電解部の水の塩化物イオン濃度が上昇する技術を提供する。
【００１４】
最近、健康志向や清潔志向が高まり、出先での食卓や便座等、またはインフルエンザ等の予防に、手指やつり革・取っ手の手軽な除菌手段が望まれる。このような点に着目して、本発明は、家庭等において手指等の除菌を行ったり、また、ハンドバッグ等に収容して持ち歩き、出先での除菌に適する電解水噴霧器を提供するに当たり、上記のような塩徐放用カートリッジの適用によって、電解水噴霧器の電解部に塩化物イオン濃度が低い原水が使用された場合でも、電解部の水の塩化物イオン濃度が所期の値となる簡単な手段を提供するものである。
【課題を解決するための手段】
【００１５】
第１発明は、内部にＮａＣｌ等のＣｌ−が化合した無機塩の結晶の収容部を形成し上部に開口を備え、空気中では前記開口を開いた状態に下降し水中では前記開口を閉じる状態に上昇する浮動開閉弁部材を備え、前記開口が前記浮動開閉弁部材によって閉じた状態で、前記浮動開閉弁部材の周囲には前記開口から前記塩の結晶が溶けた水溶液の塩化物イオン（Ｃｌ−）等のイオンが拡散する隙間通路が形成されることを特徴とする。
【００１６】
第２発明は、電解槽内の水を電気分解して次亜塩素酸を生成する電解部と、前記電解槽へ供給される水の塩化物イオン（Ｃｌ−）濃度を高めるための塩徐放用カートリッジを備え、前記塩徐放用カートリッジは、内部に塩の結晶の収容部を形成し上部に電解槽内の水が流入する開口を備え、空気中では前記開口を開いた状態に下降し、水中では前記開口を閉じる状態に上昇する浮動開閉弁部材を備え、前記開口が前記浮動開閉弁部材によって閉じた状態で、前記浮動開閉弁部材の周囲には前記開口から前記塩の結晶が溶けた水溶液の塩化物イオン（Ｃｌ−）が拡散する隙間通路が形成される構成であり、前記電解槽に前記塩徐放用カートリッジが組み付けられた状態で、前記電解槽に供給される水が前記開口から前記塩の結晶へ流入しつつ、前記浮動開閉弁部材が前記開口を閉じる状態に上昇することを特徴とする。
【００１７】
第３発明は、内部に電解部が収容され上面に前記電解部へ供給する水補給開口を備えた水タンク部を備え、前記水補給開口を開閉するように前記水タンク部の上部に噴霧機構部が水密状態に着脱自在結合され、前記電解部で生成される電解水が前記噴霧機構部から噴霧可能な電解水噴霧器において、前記電解部には、前記電解部へ供給される水に塩化物イオン（Ｃｌ−）を徐放する塩徐放用カートリッジを設け、前記塩徐放用カートリッジは、内部に塩の結晶の収容部を形成し上部に前記電解部内の水が前記塩の結晶へ流入する開口を備え、空気中では前記開口を開いた状態に下降し、水中では前記開口を閉じる状態に上昇する浮動開閉弁部材を備え、前記開口が前記浮動開閉弁部材によって閉じた状態で、前記浮動開閉弁部材の周囲には前記開口から前記塩の結晶が溶けた水溶液の塩化物イオン（Ｃｌ−）が拡散する隙間通路が形成される構成であり、前記電解部に前記塩徐放用カートリッジが組み付けられた状態で、前記電解部に供給される水が前記開口から前記塩の結晶へ流入しつつ、前記浮動開閉弁部材が前記開口を閉じる状態に上昇することを特徴とする。
【００１８】
第４発明は、第１発明乃至第３発明のいずれかにおいて、前記隙間通路が前記浮動開閉弁部材の表面の粗さによって形成されたことを特徴とする。
【００１９】
第５発明は、第３発明において、前記塩徐放用カートリッジは、前記開口が前記水タンク部の下部開口に臨むように前記水タンク部に着脱自在に取り付けたことを特徴とする。
【発明の効果】
【００２０】
電解部によって水を電気分解して次亜塩素酸を生成するシステムにおいて、塩化物イオン濃度が低い原水が電解部へ供給される状況の場合、電解部の原水の塩化物イオン濃度を上昇させる手段として、第１発明の塩徐放用カートリッジの採用により、塩の結晶が溶けた水溶液の塩化物イオンが拡散することによって、電解部の水の塩化物イオン濃度を高めることができる。このため、特別な薬剤の補充や薬剤供給ポンプの運転も不要であり、簡単且つ安価な手段によって、電解部の水の塩化物イオン濃度を高めることができるものとなる。
また、塩徐放用カートリッジ内には、塩の結晶が収容された形態であるため、前記水溶液を収容する場合に比して、小型化に適し、且つ水漏れなどの懸念がなく取り扱いがし易くなる。
また、塩徐放用カートリッジは、内部に塩の結晶の収容部を形成し上部に開口を形成し、空気中では前記開口を開いた状態に下降し、水中では前記開口を閉じる状態に上昇する浮動開閉弁部材を備えるため、塩徐放用カートリッジの取り付けにより、自然的に塩化物イオンを補給できるものとなる。
【００２１】
第２発明では、上記第１発明の効果を奏すると共に、電解槽への塩徐放用カートリッジの取り付けによって、電解槽内の水が開口から流入して前記水溶液が形成され、この水溶液の塩化物イオンが徐々に電解槽内へ拡散されるための隙間通路が、浮動開閉弁部材の上昇によって形成されるため、特別に電解槽内の水が塩徐放用カートリッジ内へ流入する機構や、塩化物イオンを強制的に電解槽内へ徐放する機構も不要となり、塩の結晶が溶け出して不足した状態または無くなった状態で、新規な塩徐放用カートリッジと交換すれば、引き続いて電解部の水の塩化物イオン濃度を高めることができるものとなる。
【００２２】
また、第３発明によって、第２発明の効果同様の効果を奏すると共に、電解水噴霧器に注入される水が塩化物イオン濃度の低い原水である場合にも、安心して除菌水を生成できるものとなる。このため、電解水噴霧器を携帯用に形成する場合でも、出先の地域の水の水質によって所期の除菌水を生成できないことの懸念はなくなる。
【００２３】
また、第４発明によって、塩化物イオンが拡散する隙間通路は、数μｍの小さな通路であればよいため、浮動開閉弁部材を例えば、ポリエチレンまたはポリプロピレンの成形品とする場合は、その成形によってその粗さとなるため、隙間通路の形成が容易となる。また、隙間通路は、浮動開閉弁部材の表面をサンドブラストや、化学的なエッチング等によって、浮動開閉弁部材の表面に粗さを形成することもできる。
【００２４】
また、第５発明によって、塩徐放用カートリッジの開口が、電解部の下部開口に臨むように塩徐放用カートリッジを電解部に着脱自在に取り付けるため、特別に電解槽内の水が塩徐放用カートリッジ内へ流入する機構や、塩化物イオンを電解槽内へ徐放する機構も不要となり、塩の結晶が溶け出して不足した状態または無くなった状態で、新規な塩徐放用カートリッジと交換すれば、引き続いて電解部の水の塩化物イオン濃度を高めることができるものとなる。
【図面の簡単な説明】
【００２５】
【図１】本発明に係る塩徐放用カートリッジを取り付けた携帯用電解水噴霧器の内部構成を示す説明図である。
【図２】本発明に係る塩徐放用カートリッジを取り付けた携帯用電解水噴霧器の一体化された噴霧機構部と電解部が水タンク部から取り外された関係を示す説明図である。
【図３】本発明に係る塩徐放用カートリッジを取り付けた携帯用電解水噴霧器の一体化された噴霧機構部と電解部が水タンク部から取り外された関係を拡大で示す説明図である。
【図４】本発明に係る塩徐放用カートリッジを取り付けた携帯用電解水噴霧器の一体化された噴霧機構部と電解部を水タンク部に取り付けた状態の説明図である。
【図５】図４のプッシュ部をプッシュした状態を拡大で示す説明図である。
【図６】本発明に係る塩徐放用カートリッジを取り付けた携帯用電解水噴霧器の電解部の電極構成を示す説明図である。
【図７】本発明に係る塩徐放用カートリッジを取り付けた携帯用電解水噴霧器の電解部の３枚電極構成を示す横断面図である。
【図８】図１の塩徐放用カートリッジの拡大図である。
【図９】本発明に係る塩徐放用カートリッジにより塩の結晶の拡散を確認する構成図である。
【図１０】図４の構成における塩化物イオン濃度を高めた場合の水の導電率の経時変化を示す図である。
【図１１】本発明に係る塩徐放用カートリッジを取り付けた他の形態の携帯用電解水噴霧器の概略構成図である。
【図１２】本発明に係る塩徐放用カートリッジによる塩の結晶の拡散の説明図である。
【発明を実施するための形態】
【００２６】
本発明は、内部にＮａＣｌ等のＣｌ−が化合した無機塩の結晶の収容部を形成し上部に開口を備え、空気中では前記開口を開いた状態に下降し水中では前記開口を閉じる状態に上昇する浮動開閉弁部材を備え、前記開口が前記浮動開閉弁部材によって閉じた状態で、前記浮動開閉弁部材の周囲には前記開口から前記塩の結晶が溶けた水溶液の塩化物イオン（Ｃｌ−）等のイオンが拡散する隙間通路が形成される塩徐放用カートリッジ、この塩徐放用カートリッジを備えた電解水生成装置、及びこの塩徐放用カートリッジを備えた電解水噴霧器であり、以下にその実施例を記載する。
【実施例１】
【００２７】
以下、電解水が次亜塩素酸を含む電解水である場合について、本発明に係る塩徐放用カートリッジ、この塩徐放用カートリッジを備えた電解水生成装置、及びこの塩徐放用カートリッジを備えた電解水噴霧器の実施例を図に基づき説明する。
【００２８】
図１には、本発明に係る塩徐放用カートリッジ１００を備えた電解水生成装置１２０を組み込んだ携帯用の電解水噴霧器１を示している。図１に示すように、電解水噴霧器１は、外観が円筒形、楕円形、多角形等の筒状をなし、中央部に電解部５を配置し上面開口２Ａの筒状の水タンク部２を中間部に配置し、その下部に塩徐放用カートリッジ１００を配置し、更にその下部に電源部３を配置し、水タンク部２の上部にプッシュ式噴霧機構部４を配置した構成である。図のものは、略同じ直径で構成された水タンク部２、塩徐放用カートリッジ１００、及び電源部３によって円筒形本体部１Ａを形成し、この上にプッシュ式噴霧機構部４を配置した携帯用の電解水噴霧器１を示している。水タンク部２は電気分解するための水を電解部５へ供給する貯水タンクである。電解部５を配置した水タンク部２に塩徐放用カートリッジ１００を備えた構成が、電解水生成装置１２０を構成する。
【００２９】
図３、図４等に示すように、水タンク部２内の中央部には、水タンク部２の水が下部の流入口５Ｅから流入し上面開口５Ａから噴霧機構部４へ流出する筒状電解部５が、水タンク部２に対し噴霧機構部４の着脱に伴って着脱されるように、噴霧機構部４から水タンク部２内に吊り下げ支持され、水タンク部２内にその軸方向に配置される構成である。これによって、主として筒状電解部５の周囲が水タンク部２の水溜め部となり、水タンク部２の水が下部の流入口５Ｅから電解部５へ流入する。このため、携帯用電解水噴霧器１がプッシュ式噴霧機構部４を上にした垂直状態において、電解部５と水タンク部２の水位ＨＬが同レベルとなる。
【００３０】
電解部５は、その内部の水に浸るように、次亜塩素酸を含む電解水を生成するための電解水生成用電極６が収容されており、次亜塩素酸を発生することにより除菌用電解水としての次亜塩素酸水を生成するものである。電解部５は、アノード電極（陽極）６Ａとカソード電極（陰極）６Ｂが、電解水噴霧器１の軸方向、即ち、水タンク部２の中央部に、水タンク部２の軸方向に収容された筒状電解部５を形成している。電極６は、水タンク部２の軸方向に並行に延びた２枚乃至５枚のアノード電極（陽極）６Ａとカソード電極（陰極）６Ｂで構成され、１枚のアノード電極（陽極）６Ａと１枚のカソード電極（陰極）６Ｂの一対で構成することもできるが、除菌用電解水を効果的に生成するためには、電極６の好ましい形態として、アノード電極（陽極）６Ａとカソード電極（陰極）６Ｂが交互配置となるように、少なくとも３枚の板状電極が、所定間隔を存してその板状面が対向配置される。
【００３１】
筒状電解部５の構成として、図６に示すように、筒状体５Ｐ内にアノード電極（陽極）６Ａとカソード電極（陰極）６Ｂが所定間隔で収容された構成であり、アノード電極（陽極）６Ａとカソード電極（陰極）６Ｂとの間が水の流通路となる極間スペース５Ｓである。アノード電極（陽極）６Ａとカソード電極（陰極）６Ｂ間の極間スペース５Ｓ以外の部分に水が存在すると、この部分では次亜塩素酸を含んでいない水が発生し、これがプッシュ式噴霧機構部４から噴霧されると、除菌効果が損なわれる。これを防止するために、電解部５は、アノード電極（陽極）６Ａとカソード電極（陰極）６Ｂ間以外の部分を水が流れない筒状構成である。
【００３２】
電解部５の一つの実施構成として、図７に横断面で示すように、アノード電極（陽極）６Ａとカソード電極（陰極）６Ｂが交互配置となるよう３枚の板状電極が絶縁材のスペーサ５Ｂを介して上下方向に略均一な所定間隔（０．１ｍｍ〜１ｍｍ）を存して対向配置され、中間の板状電極をアノード電極（陽極）６Ａとし、その両側の板状電極をカソード電極（陰極）６Ｂとし、電気分解に作用しない非対向面は、絶縁材で覆うように、この３枚の電極の外周を合成樹脂製の熱収縮チューブで構成した筒状体５Ｐで覆われている。アノード電極（陽極）６Ａとカソード電極（陰極）６Ｂが交互配置となるよう３枚の板状電極が絶縁性のスペーサ５Ｂを介して所定間隔に配置された状態のものを熱収縮チューブに挿入し、加熱により熱収縮チューブを収縮させることによって、熱収縮チューブが３枚の電極の周囲に密着することにより、筒状体５Ｐが形成されることとなる。
【００３３】
このため、狭義的には筒状体５Ｐを電解槽と称することもでき、広義的には水タンク部２を電解槽と称することができる。これによって、アノード電極（陽極）６Ａとカソード電極（陰極）６Ｂとの間で、水の流通路となる極間スペース５Ｓが形成され、極間スペース５Ｓに存在する水を電気分解して次亜塩素酸を発生させ、次亜塩素酸を含む電解水を効果的に生成することができる。そして、後述のようにプッシュ式噴霧機構部４の作動によって噴霧されるとき、実質的に極間スペース５Ｓ以外の部分を水が流れない筒状構成となる。
【００３４】
電解部５の軸方向（図６では上下方向）に沿ったアノード電極（陽極）６Ａとその両側のカソード電極（陰極）６Ｂの軸方向長さが、略電解部５の軸方向長さに亘る長さである。また、図６及び図７に示すように、アノード電極（陽極）６Ａとカソード電極（陰極）６Ｂのそれぞれの対向面の電気分解に作用する有効面積が略同じである。
【００３５】
筒状体５Ｐは絶縁材が好ましく、上記のように合成樹脂製の熱収縮チューブで構成してもよく、または、円筒形状または非円筒形状に成形した合成樹脂の成形品で構成してもよい。いずれにしても、アノード電極（陽極）６Ａとカソード電極（陰極）６Ｂとの間で、水の流通路となる極間スペース５Ｓが形成され、実質的にアノード電極（陽極）６Ａとカソード電極（陰極）６Ｂ間以外の部分を水が流れない筒状構成とすればよい。
【００３６】
電極６に所定電圧（実施例では、５Ｖ〜１０Ｖ）を印加することによって、アノード電極（陽極）６Ａとカソード電極（陰極）６Ｂとの間の極間スペース５Ｓに存在する水を電気分解して、次亜塩素酸を含む電解水を効果的に生成することができる。
【００３７】
電解部５のアノード電極（陽極）６Ａとカソード電極（陰極）６Ｂは、例えば、Ｔｉ（チタン）のベース板の表面にＩｒ（イリジウム）、Ｐｔ（白金）の被覆膜が形成された構成である。
この次亜塩素酸による除菌、脱臭効果を得るためには、アノード電極（陽極）６Ａとカソード電極（陰極）６Ｂ間に電源用電池２４から電圧を印加して通電する。
アノード電極（陽極）としてのアノード電極（陽極）６Ａでは、下記式（１）に示すように水が電気分解される。
２Ｈ2Ｏ→４Ｈ+＋Ｏ2＋４ｅ- ・・・（１）
これと共に、アノード電極（陽極）６Ａにおいては、水に含まれる塩素イオン（塩化物イオン：Ｃｌ−）が下記式（２）に示すように酸化反応し、塩素（Ｃｌ2）が発生する。
２Ｃｌ- →Ｃｌ2＋２ｅ- ・・・（２）
更に、この塩素は下記式（３）に示すように加水分解し、次亜塩素酸（ＨＣｌＯ）と塩化水素（ＨＣｌ）が発生する。
Ｃｌ2＋Ｈ2Ｏ→ＨＣｌＯ＋ＨＣｌ ・・・（３）
一方、カソード電極（陰極）としてのカソード電極（陰極）６Ｂでは、下記式（４）に示す反応が行なわれる。
２Ｈ+＋２ｅ-→Ｈ2 ・・・（４）
【００３８】
上記のように、板状のアノード電極（陽極）６Ａとその両側の板状のカソード電極（陰極）６Ｂ間が、電解水の生成領域を形成すると共に、噴霧機構部４の作動によって水タンク部２の水が噴霧機構部４へ流れる水の流通路を形成するため、水タンク部２の水を噴霧機構部４へ流す流路形成がし易くなり、水タンク部２の中心部に電解部５を配置するコンパクト構成が達成できる。
【００３９】
また、上記のように、電解部５の軸方向に沿ったアノード電極（陽極）６Ａとその両側のカソード電極（陰極）６Ｂの軸方向長さが、略電解部５の軸方向長さに亘る長さであることによって、電解部５全体を電解領域とすることができるため、携帯用電解水噴霧器１の全体長さを短くすることができる。
【００４０】
また、上記のように、電極６は、板状アノード電極（陽極）６Ａと板状カソード電極（陰極）６Ｂの対向面が電解水生成作用面であり、非対向面が絶縁材で被覆された構成であるため、対向面での電解水生成作用が効果的に行なわれるものとなる。
【００４１】
また、上記のように、アノード電極（陽極）６Ａとカソード電極（陰極）６Ｂのそれぞれの対向面の電気分解に作用する有効面積が略同じであることにより、電極のコストを下げることができる。
【００４２】
塩徐放用カートリッジ１００は、内部にＮａＣｌ等のＣｌ−が化合した無機塩の結晶１０３の収容部１００Ａを形成し、その上部に開口１０１を備え、空気中では開口１０１を開いた状態に下降し水中では開口１０１を閉じる状態に上昇する浮動開閉弁部材１０２を備え、収容部１００Ａの下部には塩の結晶１０３が収容される形態である。開口１０１が浮動開閉弁部材１０２によって開いている状態では、開口１０１から水が収容部１００Ａへ流入し、開口１０１が浮動開閉弁部材１０２によって閉じた状態では、浮動開閉弁部材１０２の周囲には開口１０１から塩の結晶１０３が溶けた水溶液１０３の塩化物イオン（Ｃｌ−）等のイオンが拡散する隙間通路が形成される構成である。浮動開閉弁部材１０２が下降した位置を保持するための保持部１０４が、間隔を存して複数形成されている。
【００４３】
浮動開閉弁部材１０２は、耐電解水の材質であり、その一つとしてポリエチレンまたはポリプロピレンの球形成形品である。塩化物イオン（Ｃｌ−）が拡散する隙間通路は、数μｍの小さな通路であればよいため、その成形による粗さによってそれが達成できるため、隙間通路の形成が容易となる。なお、所定の隙間通路が形成されていない場合は、浮動開閉弁部材１０２の表面をサンドブラストや、化学的なエッチング等によって、浮動開閉弁部材１０２の表面に粗さを形成することもできる。
【００４４】
塩徐放用カートリッジ１００は、開口１０１が水タンク部２の下部開口に臨むように、水タンク部２の下部に着脱自在にネジ結合されており、塩徐放用カートリッジ１００の下部に、電源部３が着脱自在にネジ結合されている。このため、塩徐放用カートリッジ１００は、交換可能である。
【００４５】
水タンク部２は上部に上面開口２Ａを形成しており、これが水補給開口２Ａとなる。この水補給開口２Ａを開閉するように、水タンク部２の上部にプッシュ式噴霧機構部４が水密状態に着脱自在結合である。具体的には、水タンク部２の水補給開口２Ａ側へ噴霧機構部４を取り付けたとき、水補給開口２Ａが閉じた状態となる。また、噴霧機構部４を水タンク部２から取り外したとき、水補給開口２Ａが開放される状態となり、この水補給開口２Ａから水タンク部２への水の補給を行なうことができる。
【００４６】
水タンク部２の水補給開口２Ａ周縁部、即ち上面開口２Ａ周縁部には、水タンク部２内の水を押圧しつつ電解部５の電解水が先端のノズル４Ａから噴霧するための噴霧機構部４が、水タンク部２に水密状態に着脱自在結合となっている。噴霧機構部４は、種々の形態があり、市販品を採用することもできるが、図示の噴霧機構部４では、円筒形のプッシュ部４Ｐが、環状パッキン１２によって水密状態を保ちつつ、円筒形の噴霧本体部４Ｂに上下動可能に組み合わされ、プッシュ部４Ｐの側面には、小孔のノズル４Ａが開口している。噴霧本体部４Ｂの下端開口部が水タンク部２の上面開口２Ａ周縁とネジ結合部１１によって着脱自在結合となっており、噴霧本体部４Ｂと水タンク部２とは、環状パッキン１０によって水密状態である。
【００４７】
噴霧本体部４Ｂには、水タンク部２内に延びた連通路部材１３が、一体的に設けられている。この連通路部材１３は、中心部に上下に貫通した電解水導出路７Ｂを形成している。噴霧機構部４の中心部には、ノズル４Ａへ通じるように、上下に貫通した電解水導出路７が形成されている。プッシュ部４Ｐはノズル４Ａへ通じる小径の電解水導出路７Ａを形成し、電解水導出路７Ａが下方へ延出する延出部４Ｐ１を形成している。この延出部４Ｐ１は、電解水導出路７Ｂの上方から、連通路部材１３内に形成した電解水導出路７Ｂへ侵入して、連通路部材１３に水密状態で上下動可能に組み合わされている。これによって、電解水導出路７Ａと電解水導出路７Ｂが連通状態となって電解水導出路７が形成され、電解部５からノズル４Ａへ通じる電解水導出路７となる。
【００４８】
電解水導出路７Ｂには、電解水漏洩防止機構を備えている。この電解水漏洩防止機構は、図４に示すように、プッシュ部４Ｐが押圧されないときは、コイルバネ４０によって下方へ付勢されるボール４１によって電解水導出路７Ｂを閉じている。そして、後述のように、プッシュ部４Ｐの押圧によって、電解部５の電解水がコイルバネ４０に抗してボール４１を押し上げ、電解水導出路７Ｂの下端が開放されるため、電解部５の電解水は電解水導出路７を通って、ノズル４Ａから噴出する。この電解水漏洩防止機構によって、プッシュ部４Ｐが押圧されない状態において、携帯用電解水噴霧器１を上下逆さまにしたとき、電解部５の電解水が電解水導出路７を通ってノズル４Ａから漏洩しないようになる。
【００４９】
噴霧本体部４Ｂ内にはポンプ室１６が形成されている。実施形態の一つとして図４に示すように、噴霧本体部４Ｂ内にプッシュ部４Ｐの空気押圧部４Ｐ２と、連通路部材１３の基部上面との間にポンプ室１６が形成されている。ポンプ室１６は、空気導入孔９によって外気と連通し、且つ、連通路部材１３の基部を貫通した空気の連通路１５及び水タンク部２の水補給開口２Ａによって、水タンク部２内と連通している。ポンプ室１６に設けたコイルバネ８によって、プッシュ部４Ｐは本体部４Ｂから上方へ突出状態に付勢され、この状態でポンプ室１６は空気導入孔９によって外気と連通した状態である。連通路部材１３の基部を貫通した空気の連通路１５は、１箇所でもよいが、略１２０度ピッチで周囲３箇所に形成してもよい。なお、ポンプ室１６の形成のために、例えば、噴霧本体部４Ｂは、その上面が接着等にて一体化される別部材のトップ部材４Ｂ１で形成された構成となっている。
【００５０】
本発明では、筒状電解部５は、水タンク部２に対して噴霧機構部４の着脱に伴って着脱されるよう噴霧機構部４から水タンク部２内に吊り下げ支持され、下部から水タンク部２の水が流入しつつ電解水が上部から噴霧機構部４へ流れる水の流通路を形成した構成である。これに関し、具体的な構成を以下に説明する。
【００５１】
筒状電解部５は、上記のようにアノード電極（陽極）６Ａとカソード電極（陰極）６Ｂが、携帯用電解水噴霧器１の軸方向、即ち、水タンク部２の中央部に、水タンク部２の軸方向となるように、噴霧機構部４から吊り下げ支持されている。具体的には、筒状電解部５は、連通路部材１３の下端部に上部支持部１７Ｂを介して固定状態に支持されており、これによって、噴霧機構部４から固定状態に吊り下げ支持される。
【００５２】
筒状電解部５の筒状体５Ｐの下端部は開放されており、アノード電極（陽極）６Ａとカソード電極（陰極）６Ｂとの間の極間スペース５Ｓが開放されている。これによって、筒状電解部５の下端部には、水タンク部２の水が筒状電解部５へ流入する流入口５Ｅが形成された状態である。具体的には、筒状電解部５は筒状体５Ｐで覆われており、それによって、筒状電解部５の下端部には、極間スペース５Ｓへ水タンク部２の水が流入する流入口５Ｅが形成された状態である。
【００５３】
後述の電源部３から筒状電解部５の電極であるアノード電極（陽極）６Ａとカソード電極（陰極）６Ｂへの電力供給が、筒状水タンク部２に対する噴霧機構部４の着脱に伴って接続遮断されるように、電気的接続部６０を設けている。
【００５４】
電気的接続部６０は、図１乃至図５に示すように、電源部３のプラス電源部とマイナス電源部へリード線６１にて接続された筒状水タンク部２側の一次側接続部６０Ａと、噴霧機構部４に吊り下げ支持された筒状電解部５のアノード電極（陽極）６Ａとカソード電極（陰極）６Ｂへリード線６２にて接続された筒状電解部５側の二次側接続部６０Ｂとの着脱によって、筒状電解部５のアノード電極（陽極）６Ａとカソード電極（陰極）６Ｂへの電力供給状態と遮断状態になる構成である。図の構成では、例えば、左側の一次側接続部６０Ａと二次側接続部６０Ｂが、アノード電極（陽極）６Ａへの電気的接続部６０１であり、右側の一次側接続部６０Ａと二次側接続部６０Ｂが、カソード電極（陰極）６Ｂへの電気的接続部６０２となるように、アノード電極（陽極）６Ａへの電気的接続部６０１とカソード電極（陰極）６Ｂへの電気的接続部６０２によって、電気的接続部６０を構成している。
【００５５】
携帯用電解水噴霧器１の組み立てのし易さを考慮して、電源部３は、環状パッキン２１を介して塩徐放用カートリッジ１００と相互にネジ結合部２２にて、水密状態に結合されている。電源部３は、合成樹脂製の筺体２３内に、電源用電池２４、制御回路部２５等が収容されている。図１に示すように、制御回路部２５は、操作部２７Ｐによって電源部３の外面から操作されるスイッチ２７によって電源用電池２４を電源として作動して、電源用電池２４から制御回路部２５へ電力が供給され、制御回路部２５から電極６へ電力が供給されるように電気的に接続され、電極６を構成するアノード電極（陽極）６Ａとカソード電極（陰極）６Ｂへ電力を供給する。電源部３は、筺体２３の外面が装飾のためにアルミニウムなどの金属製装飾体２８によって覆われている。
【００５６】
電源用電池２４は、単３または単４の再充電可能な１．２Ｖ〜１．５Ｖの２次電池であり、筺体２３内に形成した電池収容部２３Ａに収容されており、制御回路部２５の電源として機能する。電源用電池２４の充電は、電磁誘導にて充電する所定の充電器へセットすることにより達成できる。なお、電源用電池２４を電源部３から取り外し可能な構成によって、電源用電池２４を電源部３から取り外し、所定の充電器へセットすることにより充電可能であり、または、新規の電池と交換可能となる。
【００５７】
電解部２で次亜塩素酸を含む除菌用電解水を生成するためには、所定電圧以上の電力がアノード電極（陽極）６Ａとカソード電極（陰極）６Ｂへ印加されることが必要である。このため、電力電源用電池２４は、複数の電池を直列接続すれば高い電圧が得られるが、携帯用電解水噴霧器１が大型化するため、本発明では、単３または単４の再充電可能な１．２Ｖ〜１．５Ｖの２次電池を１個使用し、この電源用電池２４の電圧を昇圧回路２５Ａによって昇圧して電極６に所定電圧（実施例では、５Ｖ〜１０Ｖ）を印加する。制御回路部２５は、極間スペース５Ｓ内での次亜塩素酸を含む除菌用電解水の生成に必要な電圧を電極６へ印加するために、電源用電池２４を電源として、電源用電池２４の電圧を所定の電圧（実施例では、５Ｖ〜１０Ｖ）まで昇圧するための昇圧回路２５Ａを備え、且つ、スイッチ２７をＯＮしたときから電池２４の電力が昇圧回路２５Ａを介して電極６へ供給される時間を制限するタイマ回路２５Ｂを備えている。
【００５８】
携帯用電解水噴霧器１において、電源用電池２４の電力を電極６へ供給する方式として、タイマ回路を設けずに、使用者が携帯用電解水噴霧器１を使用する際にスイッチ２７をＯＮし、使用が終わったときスイッチ２７をＯＦＦするようにすることも可能であるが、もし、スイッチ２７をＯＦＦし忘れたときは、電池２４の電力が電極６へ供給され続けるため、所謂電池２４切れの状態になり易い。本発明では、このようなことを防止するために、スイッチ２７として、操作部２７Ｐを押圧したときのみ瞬時の間ＯＮする構成とし、例えば、操作部２７Ｐを押圧したときＯＮし直ちに自動ＯＦＦする自動復帰式の押圧式スイッチ、または操作部２７Ｐを押圧したときＯＮし瞬時にＯＦＦするトランジスタを含む回路構成等を採用し、スイッチ２７のＯＮからタイマ回路２５Ｂが作動し、所定時間（実施例では１０秒）だけ電池２４の電力を昇圧回路２５Ａで昇圧した電圧が電極６へ供給されるようにしている。
【００５９】
上記のように、昇圧回路によって極間スペース５Ｓ内での次亜塩素酸を含む除菌用電解水の生成に必要な電圧を電極６へ印加するため、電源用電池２４は１．２Ｖ〜１．５Ｖの単３または単４電池が使用でき、小型化となる。また、スイッチ２７をＯＮしたときから所定時間（実施例では１０秒）のみ電極６に通電することによって、除菌の必要時のみ電解水を生成するため、電池２４の寿命を数年に亘るように長く保つことができる。
【００６０】
水タンク部２、塩の結晶１０３を収容した塩徐放用カートリッジ１００及び電源部３を結合した状態で、上記のように、筒状電解部５が噴霧機構部４から固定状態に吊り下げ支持された状態の噴霧機構部４を、図２に示すように、水タンク部２から取り外した状態において、水タンク部２の水補給開口２Ａから水タンク部２へ水（原水という）を補給する。この水補給前は、塩徐放用カートリッジ１００内の水も空であるため、浮動開閉弁部材１０２が下降位置にあるため、この補給された原水は、開口１０１から収容部１００Ａへ流入して、塩の結晶１０３の上に溜まり、収容部１００Ａが満たされた状態で、上昇した浮動開閉弁部材１０２によって開口１０１が閉じる。この状態から更に原水が補給されることによって、下部の流入口５Ｅから筒状電解部５内にも溜まり、水タンク部２が満杯となる。
【００６１】
この状態で、後述のように、塩の結晶１０３が徐々に溶けて水溶液１０３Ａが収容部１００Ａに形成され、この水溶液１０３Ａの塩化物イオンが、浮動開閉弁部材１０２の周囲の隙間通路から水タンク部２内の原水に拡散することによって、水タンク部２内の原水の塩化物イオン濃度が高められ、電解部５によって、所定濃度の次亜塩素酸を含む所期の濃度の電解水が生成される。
【００６２】
この溜まった水の量は、水タンク部２が透明であれば、外部から目視できる。このように水タンク部２へ水を補給した状態で、水タンク部２の水補給開口２Ａ側へ噴霧機構部４をネジ結合部１１によって取り付ける。この取り付けに伴って、噴霧本体部４Ｂと水タンク部２とは、環状パッキン１０によって水密状態となり、筒状電解部５が水タンク部２の中央部に軸方向に配置される。
【００６３】
このように、水タンク部２の水補給開口２Ａ側へ噴霧機構部４をネジ結合部１１で結合することによって、左側の一次側接続部６０Ａと二次側接続部６０Ｂが当接して、アノード電極（陽極）６Ａへの電気的接続部６０１が接続され、また、右側の一次側接続部６０Ａと二次側接続部６０Ｂが当接して、カソード電極（陰極）６Ｂへの電気的接続部６０２が接続状態となる。
【００６４】
この状態で、操作部２７Ｐを押圧してスイッチ２７をＯＮすることによって、タイマ回路２５Ｂが作動し、電池２４の電力を昇圧回路２５Ａで昇圧した電圧が、各電気的接続部６０１及び６０２を通して所定時間（実施例では１０秒）だけ電極６へ供給され、電解部５で電解水が生成される。
【００６５】
この所定時間（実施例では１０秒）のうちに、コイルバネ８によって本体部４Ｂから上方へ突出状態に付勢されているプッシュ部４Ｐを押圧することによって、延出部４Ｐ１がコイルバネ４０に抗してボール４１を下方へ押すと共に、ポンプ室１６の空気はプッシュ部４Ｐの空気押圧部４Ｐ２が空気導入孔９を通り過ぎた位置から、連通路１５を通して水タンク部２内の水面ＨＬの上面空間ＡＳに加圧空気が作用し、この加圧空気によって、水タンク部２内の水が流入口５Ｅから電解部５内へ押し込まれる。この加圧作用によって、電解部５の電解水がコイルバネ４０に抗してボール４１を押し上げ、電解水導出路７Ｂの下端が開放されるため、電解部５の電解水は電解水導出路７を通って、ノズル４Ａから噴出する。この作用がプッシュ部４Ｐの１プッシュごとに行なわれるため、上記所定時間（実施例では１０秒）のうちに、プッシュ部４Ｐを複数回プッシュすることによって、その都度電解水を噴霧することができる。この所定時間（実施例では１０秒）経過にて前記ＬＥＤは消灯（非発光）するが、再度操作部２７Ｐを押圧してスイッチ２７をＯＮすることによって、上記所定時間（実施例では１０秒）が開始するため、この時間内にプッシュ部４Ｐを複数回プッシュすることによって、その都度電解水を噴霧することができる。
【００６６】
図１０には、塩化物イオン濃度を高めたい水１０６に、塩徐放用カートリッジ１００に貯留した高濃度の塩の結晶１０３が溶けた水溶液１０３Ａの塩化物イオンを拡散させて、塩化物イオン濃度を高めた改良水１０６Ａの導電率の経時変化を示している。この場合の実施構成は、図９に示すように、ＮａＣｌの重量パーセントが１．８ｗｔ％の高濃度のＮａＣｌ水溶液１０３Ａが１ｍＬ（ｍＬはミリリットルを意味する）充填された塩徐放用カートリッジ１００を用意し、純水（精製水）１０６を１０ｍＬ入れた容器１０５内の純水１０６に、浮動開閉弁部材１０２の周囲の隙間通路から開口１０１を通って、水溶液１０３の塩化物イオンが拡散する。この拡散によって生成された改良水１０６Ａの塩（ＮａＣｌ）の濃度がどのように変化するかを、改良水１０６Ａの導電率で確認した結果が図１０である。塩（ＮａＣｌ）の濃度が高いほど導電率が高くなる。
【００６７】
この確認において、７２時間経過したとき容器１０５内の純水１０６を新たな純水１０６に入れ替えた場合の改良水１０６Ａの導電率を調べたものを図１０に示している。これから明らかなように、時間の経過に伴う導電率の変化は、略一定していることが判る。このため、塩化物イオン濃度を上げたい水に、連続して塩徐放用カートリッジ１００内の塩化物イオンを拡散すれば、所期の除菌・脱臭効果を得るための電解水を生成できることが解る。
【００６８】
なお、図９に示す装置によって、長い時間に亘って塩徐放用カートリッジ１００内の水溶液１０３Ａの塩化物イオンを拡散させることによって、塩徐放用カートリッジ１００内の水溶液１０３Ａが、全て純水１０６へ溶け込んだときの導電率４１００μｓ／ｃｍに達するまでの時間は、１７２９．１０時間（約７２．０日＝約２．４ヶ月）であることが判明している。このため、重量パーセントが１．８％の高濃度の水溶液１０３が１ｍＬ充填された塩徐放用カートリッジ１００を用意し、この塩徐放用カートリッジ１００から塩化物イオンを拡散すれば、約７２日間に亘って塩を補充し続けることができるものとなり、除菌・脱臭を目的とする大概の電解水生成装置へ適用可能となる。
【００６９】
上記において、ＮａＣｌの重量パーセントが１．８ｗｔ％のものを高濃度と称するのは、通常では、市井の上水道水が使用されることを考慮して、市井の上水道水と比較すれば高い濃度という意味であり、このＮａＣｌの重量パーセントはこれに限定されない。
【００７０】
このようなことに鑑みて、本発明の電解水生成装置１２０を組み込んだ電解水噴霧器１において、水タンク部２、塩の結晶である結晶食塩１０３が収容された塩徐放用カートリッジ１００及び電源部３を結合した状態で、上記のように、空の水タンク部２へ水補給開口２Ａから水を補給した場合、この補給された水は、開口１０１を通って下降位置にある浮動開閉弁部材１０２の周囲から収容部１００Ａへ流入し、その水によって結晶食塩１０３が溶けて、浮動開閉弁部材１０２の周囲を含む収容部１００Ａ内に水溶液１０３Ａが形成される。そして、収容部１００Ａ内の水位上昇に伴って浮動開閉弁部材１０２が上昇し、最終的に開口１０１が塞がれる。この状態で、上記のように浮動開閉弁部材１０２の周囲に隙間通路が存在する。
【００７１】
電解部５へ供給されるタンク部２へ補給された水の塩化物イオン濃度が低い場合は、タンク部２内のＮａＣｌ濃度と塩徐放用カートリッジ１００のＮａＣｌ濃度との差によって、塩徐放用カートリッジ１００内の水溶液１０３Ａの塩化物イオンが、浮動開閉弁部材１０２の周囲の隙間通路を通って拡散し、タンク部２内及び電解部５の塩化物イオン濃度が上がり、タンク部２内及び電解部５内へ供給される水の塩化物イオン濃度が高められた状態となる。
【００７２】
このように、塩化物イオン濃度が高められた電解部５内では、アノード電極（陽極）６Ａとカソード電極（陰極）６Ｂへ電池２４からの通電によって、電解槽５内の水が電気分解され、それによって生成される次亜塩素酸を含む所期の濃度の電解水が生成される。このため、プッシュ部４Ｐを押圧することによって、この電解水が噴霧されることとなる。
【００７３】
水タンク部２への水の補給に際しては、水タンク部２に対して、ネジ結合部１１の結合が外れる方向へ噴霧本体部４Ｂを回転させることにより、水タンク部２と噴霧本体部４Ｂとの結合が外れると共に、筒状電解部５も水タンク部２から外れるため、水タンク部２の上面の水補給開口２Ａが開放され、上記同様に、水補給開口２Ａから水タンク部２への水の補給を行うことができる。
【００７４】
塩徐放用カートリッジ１００内の塩の結晶１０３が消費されてしまった状態で、塩の結晶１０３が収容された新たな塩徐放用カートリッジ１００と交換する。塩徐放用カートリッジ１００内の塩の結晶１０３が残っているか否かは、塩徐放用カートリッジ１００内を透明体で形成すれば目視可能となる。またＮａＣｌ濃度センサで水タンク部２内の濃度を検出して、濃度不足を外部から目視可能なＬＥＤ（図示せず）で表示できるようにすればよい。
【００７５】
図１２には、塩徐放用カートリッジ１００内の塩の結晶１０３によって、水タンク部２内のＮａＣｌ濃度が高められる状況を示している。（イ）は、水タンク部２にＮａＣｌ結晶１０３が収容された塩徐放用カートリッジ１００を結合して、水（原水という）が補給される前の状態である。この原水の補給前は、塩徐放用カートリッジ１００内の水も空であるため、浮動開閉弁部材１０２が下降位置にある。
【００７６】
（ロ）は、この状態から原水を補給した状態を示す。即ち、この補給された原水は、開口１０１から収容部１００Ａへ流入して、塩の結晶１０３の上に溜まり、収容部１００Ａが満たされた状態で、上昇した浮動開閉弁部材１０２によって開口１０１が閉じる。この状態から更に原水が補給されることによって、下部の流入口５Ｅから筒状電解部５内にも溜まり、水タンク部２が満杯となる。この状態で、塩の結晶１０３が徐々に溶けて水溶液１０３Ａが収容部１００Ａに形成され、この水溶液１０３Ａの塩化物イオンが、浮動開閉弁部材１０２の周囲の隙間通路から水タンク部２内の原水に拡散することによって、水タンク部２内の原水の塩化物イオン濃度が高められ、電解部５によって、所定濃度の次亜塩素酸を含む所期の濃度の電解水が生成される。
【００７７】
（ロ）の状態において、噴霧機構部４から電解水が噴霧されて水タンク部２内が空になった状態では、（ハ）に示すように、収容部１００Ａの水溶液１０３Ａの水分が、浮動開閉弁部材１０２の周囲の隙間通路から水タンク部２内へ蒸発し、その蒸発によって、収容部１００Ａの水溶液１０３Ａの水位低下に伴って浮動開閉弁部材１０２が下降し、更に水溶液１０３Ａの水分蒸発が促進される。これが長時間続いた場合、残った塩の結晶１０３の上にＮａＣｌが再結晶する。
【００７８】
塩の再結晶が形成された（イ）の状態において、再度、水タンク部２へ原水を補給することによって、この補給された原水は、開口１０１から収容部１００Ａへ流入して、塩の再結晶が溶けて水溶液１０３Ａが形成されると共に、次第に残った塩の再結晶１０３も溶け出して、上記（ロ）の状態と同様に、塩化物イオンの拡散によって水タンク部２内の原水の塩化物イオン濃度が高められる。
【００７９】
携帯用電解水噴霧器１をハンドバッグなどに入れて使用しないときに、噴霧機構部４から電解水が不用意に噴出しないようするために、本体部４Ｂには、プッシュ部４Ｐを覆うノズルカバー１８が着脱自在に取り付けられている。
【００８０】
また、携帯用電解水噴霧器１をハンドバッグなどに入れて持ち歩くときに、水タンク部２の水が空気導入孔９から流出しないようにするため、及び、水タンク部２内の気泡抜きのために、空気導入孔９には、空気は通すが水は通さない選択膜５２を設けている。
【００８１】
携帯用電解水噴霧器１の小型化を達成するためには、水タンク部２の大きさを小さくすることが望まれるが、使用性を考慮すれば、水タンク部２の内容積としては、数十回の噴霧ができる水の量を確保する必要がある。
【００８２】
なお、電池２４としては、出力が大きく、一回の満充電によって数ヶ月乃至数年に亘って使用可能な長寿命のものであれば構わない。
【００８３】
塩徐放用カートリッジ１００は、上記のような拡散によって内部に充填された食塩１０３が不足した場合または無くなった場合、食塩１０３を再充填する方式ではなく、新規な塩徐放用カートリッジ１００と交換する方式とすることができる。
【００８４】
また図１１には、本発明に係る電解水生成装置１２０を組み込んだ携帯用電解水噴霧器１の他の形態を示している。図１の形態と異なるところは、電源部３が水タンク部２の側面に配置した一体型構成である。図１乃至図８に示すものと同じ機能部は同じ符号で示しており、動作・作用も図１乃至図８に示すものと同様である。なお、浮動開閉弁部材１０２は、上記では球形であったが、この図１１では円錐形で示している。
【００８５】
貯水タンク（上記実施例では水タンク部２）の水を電解部５に供給し、貯水タンク（上記実施例では水タンク部２）に塩徐放用カートリッジ１００を備えた構成が、電解水生成装置１２０を構成するものであるため、この電解水生成装置１２０を携帯用電解水噴霧器１以外の機器に適用しても、本発明の目的の達成及び効果の発揮ができるものである。例えば、電解水生成装置１２０で生成した電解水を空気清浄装置の除菌フィルタへ流下させつつ、室内空気を送風機によってこの除菌フィルタを通過させることによって、室内空気の除菌ができる空気清浄装置として効果がある。
【産業上の利用可能性】
【００８６】
本発明に係る塩徐放用カートリッジ１００、及び電解水生成装置１２０は、上記実施例に示した構成に限定されず、種々の形態の電解水生成装置、及びこの電解水生成装置を組み込んだ除菌装置または空気清浄装置に適用できるものであり、本発明の技術範囲において種々の形態を包含するものである。
【符号の説明】
【００８７】
１・・・・・携帯用電解水噴霧器
２・・・・・筒状水タンク部
２Ａ・・・・筒状水タンク部の上面開口
３・・・・・電源部
４・・・・・プッシュ式噴霧機構部
４Ａ・・・・ノズル
４Ｐ・・・・プッシュ部
５・・・・・筒状電解部
５Ａ・・・・筒状電解部の上面開口
５Ｅ・・・・流入口
５Ｐ・・・・筒状体
５Ｓ・・・・極間スペース
６・・・・・電極
６Ａ・・・・アノード電極（陽極）
６Ｂ・・・・カソード電極（陰極）
７・・・・・電解水導出路
７Ａ・・・・電解水導出路
７Ｂ・・・・電解水導出路
８・・・・・コイルバネ
９・・・・・空気導入孔
１０・・・・環状パッキン
１１・・・・ネジ結合部
１２・・・・環状パッキン
１３・・・・連通路部材
１６・・・・ポンプ室
１５・・・・空気の連通路（水補給開口）
１７Ａ・・・下部支持部
１７Ｂ・・・上部支持部
１８・・・・ノズルカバー
２０・・・・保護体
２１・・・・環状パッキン
２４・・・・電池
２５・・・・制御回路部
２７・・・・スイッチ
６０・・・・電気的接続部
６０Ａ・・・一次側接続部
６０Ｂ・・・二次側接続部
６０１・・・アノード電極（陽極）への電気的接続部
６０２・・・カソード電極（陰極）への電気的接続部
１００・・・・・塩徐放用カートリッジ
１０１・・・・・開口
１０２・・・・・浮動開閉弁部材
１０３・・・・・塩の結晶
１２０・・・・・電解水生成装置
【図１】
2012052168.tif 000003
【図２】
2012052168.tif 000004
【図３】
2012052168.tif 000005
【図４】
2012052168.tif 000006
【図５】
2012052168.tif 000007
【図６】
2012052168.tif 000008
【図７】
2012052168.tif 000009
【図８】
2012052168.tif 000010
【図９】
2012052168.tif 000011
【図１０】
2012052168.tif 000012
【図１１】
2012052168.tif 000013
【図１２】
2012052168.tif 000014